(57)【要約】【課題】  画像送受信装置に複数の異なるアスペクト比の画像受信装置が接続される場合であっても、各画像受信装置に適したアスペクト比の画像データを出力すること。【解決手段】  選択された１又は複数の送信先に対応付けて管理されている１又は複数のアスペクト比と、判別された画像データのアスペクト比とに基づいて、ＤＶＤプレーヤが送信すべき画像データのアスペクト比と、スケーラ２４が変更すべきアスペクト比とが特定される。従って、接続される複数のディスプレイ装置のアスペクト比が異なる場合でも、画像データを一方のアスペクト比にＤＶＤプレーヤに変換させると共に、他方のアスペクト比にスケーラ２４が変換することによって、各ディスプレイ装置にそれぞれ適したアスペクト比の画像データを送信できる。【選択図】図４
2010041647.tif 000002
【特許請求の範囲】
【請求項１】
外部に接続される画像送信装置から画像データを受信する画像受信手段と、
前記画像受信手段が受信した画像データのアスペクト比を、後記送信アスペクト比特定手段によって特定されたアスペクト比に変更するアスペクト比変更手段と、
外部に接続される画像受信装置に画像データを送信する画像送信手段と、
画像データの送信先毎に前記画像受信装置のアスペクト比を管理するアスペクト比管理手段と、
ユーザ操作に応じて、画像データの送信先を１又は複数選択する送信先選択手段と、
前記画像送信装置から受信した画像データのアスペクト比を判別するアスペクト比判別手段と、
前記送信先選択手段によって選択された１又は複数の送信先に対応付けて前記アスペクト比管理手段によって管理されている１又は複数のアスペクト比と、前記アスペクト比判別手段によって判別された画像データのアスペクト比とに基づいて、前記画像送信装置が送信すべき画像データのアスペクト比と、前記アスペクト比変更手段が変更すべきアスペクト比とを特定する送信アスペクト比特定手段と、
前記送信アスペクト比特定手段によって特定された前記画像送信装置が送信すべき画像データのアスペクト比に、画像データを変更して出力するように前記画像送信装置に指示する指示手段とを備える、画像送受信装置。
【請求項２】
前記送信先選択手段が出力先として第１アスペクト比の第１画像受信装置と、第２アスペクト比の第２画像受信装置とを選択し、前記アスペクト比判別手段によって画像データのアスペクト比が第２アスペクト比であると判別された場合、
前記送信アスペクト比特定手段が、前記画像送信装置が送信すべき画像データのアスペクト比を第２アスペクト比と特定し、前記アスペクト比変更手段が変更すべきアスペクト比を第１アスペクト比と特定し、
前記画像受信手段が、第２アスペクト比の画像データを受信し、
前記画像送信手段が、前記アスペクト比変更手段によってアスペクト比が変更された第１アスペクト比の画像データを前記第１画像受信装置に送信し、前記アスペクト比変更手段によってアスペクト比が変更されていない第２アスペクト比の画像データを前記第２画像受信装置に送信する、請求項１に記載の画像送受信装置。
【請求項３】
前記送信先選択手段が出力先として第１アスペクト比の第１画像受信装置と、第２アスペクト比の第２画像受信装置とを選択し、前記アスペクト比判別手段によって画像データのアスペクト比が第１アスペクト比であると判別された場合、
前記送信アスペクト比特定手段が、前記画像送信装置が送信すべき画像データのアスペクト比を第２アスペクト比と特定し、前記アスペクト比変更手段が変更すべきアスペクト比を第１アスペクト比と特定し、
前記画像受信手段が、第１アスペクト比の画像データの上下に黒帯が付された第２アスペクト比の画像データを受信し、
前記画像送信手段が、前記アスペクト比変更手段によってアスペクト比が変更された第１アスペクト比の画像データを前記第１画像受信装置に送信し、前記アスペクト比変更手段によってアスペクト比が変更されていない第２アスペクト比の画像データを前記第２画像受信装置に送信する、請求項１または２に記載の画像送受信装置。
【請求項４】
前記送信先選択手段が出力先として第１アスペクト比の第１画像受信装置を選択し、前記アスペクト比判別手段によって画像データのアスペクト比が第１アスペクト比であると判別された場合、
前記送信アスペクト比特定手段が、前記画像送信装置が送信すべき画像データのアスペクト比を第１アスペクト比と特定し、
前記画像受信手段が、第１アスペクト比の画像データを受信し、
前記画像送信手段が、前記アスペクト比変更手段によってアスペクト比が変更されていない第１アスペクト比の画像データを前記第１画像受信装置に送信する、請求項１〜３のいずれかに記載の画像送受信装置。
【請求項５】
前記送信先選択手段が出力先として第１アスペクト比の第１画像受信装置を選択し、前記アスペクト比判別手段によって画像データのアスペクト比が第２アスペクト比であると判別された場合、
前記送信アスペクト比特定手段が、前記画像送信装置が送信すべき画像データのアスペクト比を第１アスペクト比と特定し、
前記画像受信手段が、第２アスペクト比の画像データの左右に黒帯が付された第１アスペクト比の画像データを受信し、
前記画像送信手段が、前記アスペクト比変更手段によってアスペクト比が変更されていない第１アスペクト比の画像データを前記第１画像受信装置に送信する、請求項１〜４のいずれかに記載の画像送受信装置。
【請求項６】
前記送信先選択手段が出力先として第１アスペクト比の第１画像受信装置を選択し、前記アスペクト比判別手段によって画像データのアスペクト比が第２アスペクト比であると判別された場合、
前記送信アスペクト比特定手段が、前記画像送信装置が送信すべき画像データのアスペクト比を第１アスペクト比と特定し、
前記画像受信手段が、第２アスペクト比の画像データを左右に引き延ばすように拡大された第１アスペクト比の画像データを受信し、
前記画像送信手段が、前記アスペクト比変更手段によって黒帯が付された第１アスペクト比の画像データを前記第１画像受信装置に送信する、請求項１〜４のいずれかに記載の画像送受信装置。
【請求項７】
前記送信先選択手段が出力先として第２アスペクト比の第２画像受信装置を選択し、前記アスペクト比判別手段によって画像データのアスペクト比が第２アスペクト比であると判別された場合、
前記送信アスペクト比特定手段が、前記画像送信装置が送信すべき画像データのアスペクト比を第２アスペクト比と特定し、
前記画像受信手段が、第２アスペクト比の画像データを受信し、
前記画像送信手段が、前記アスペクト比変更手段によってアスペクト比が変更されていない第２アスペクト比の画像データを前記第２画像受信装置に送信する、請求項１〜６のいずれかに記載の画像送受信装置。
【請求項８】
前記送信先選択手段が出力先として第２アスペクト比の第２画像受信装置を選択し、前記アスペクト比判別手段によって画像データのアスペクト比が第１アスペクト比であると判別された場合、
前記送信アスペクト比特定手段が、前記画像送信装置が送信すべき画像データのアスペクト比を第２アスペクト比と特定し、
前記画像受信手段が、第１アスペクト比の画像データの上下に黒帯が付された第２アスペクト比の画像データを受信し、
前記画像送信手段が、前記アスペクト比変更手段によってアスペクト比が変更されていない第２アスペクト比の画像データを前記第２画像受信装置に送信する、請求項１〜７のいずれかに記載の画像送受信装置。
【請求項９】
請求項１〜８のいずれかに記載の画像送受信装置の各手段をコンピュータに実行させる、画像送受信プログラム。
【発明の詳細な説明】
【技術分野】
【０００１】
本発明は、画像受信装置に画像データを送信する画像送受信装置に関する。
【背景技術】
【０００２】
最近、ＨＤＭＩ規格に準拠したソース機器（画像送信装置）であるＤＶＤプレーヤと、リピーター機器（画像送受信装置）であるＡＶアンプと、シンク機器（画像受信装置）であるディスプレイ装置とを備える画像送受信システムが利用されており、ＤＶＤプレーヤから出力されるＨＤＭＩデータに画像データ及び音声データを含めることにより、１本のＨＤＭＩケーブルによって画像データ及び音声データの両方をＡＶアンプを介してディスプレイ装置に送信することができる。ディスプレイ装置は、受信したＨＤＭＩデータを元の画像データに変換して表示する。
【０００３】
ＤＶＤプレーヤはディスプレイ装置のアスペクト比に応じて、ユーザ操作によって、出力する画像データのアスペクト比を適切なものに設定することができる。例えば、１６：９のディスプレイ装置の場合には、ユーザ操作によって１６：９の画像データを出力するようにＤＶＤプレーヤを設定し、４：３のディスプレイ装置の場合には、ユーザ操作によって４：３の画像データを出力するようにＤＶＤプレーヤを設定する。
【０００４】
ＡＶアンプには複数のディスプレイ装置が接続可能になっており、複数のディスプレイ装置のアスペクト比が異なる場合には、ＡＶアンプから画像データを出力するディスプレイ装置を切り換える度に、ＤＶＤプレーヤから出力される画像データのアスペクト比を切り換えるようにＤＶＤプレーヤを設定し直す必要がある。
【０００５】
また、複数のディスプレイ装置にＡＶアンプから同時に画像データを出力する場合には、１つのディスプレイ装置に適したアスペクト比にＤＶＤプレーヤを設定すると、他のディスプレイ装置には適さないアスペクト比の画像データが出力されてしまう。この場合、適さないアスペクト比の画像データが供給されるディスプレイ装置をユーザ操作によって適したアスペクト比に設定し、当該ディスプレイ装置においてアスペクト比を変換する必要が生じる。従って、この場合、ＤＶＤプレーヤ及びディスプレイ装置の両方をユーザ操作によって設定する必要が生じ、煩雑である。
【０００６】
この問題を解決するために、ＡＶアンプに複数のスケーラを設けてディスプレイ装置毎に異なるアスペクト比に変更して画像データを出力することが考えられるが、ＡＶアンプに複数のスケーラを設けるとコストが高くなるという問題がある。
【０００７】
また、ＡＶアンプで解像度を例えば４８０ｉから７２０ｐ以上に変換してディスプレイ装置に出力する場合には、７２０ｐ以上の解像度は１６：９のアスペクト比しか存在しないので、４：３の画像データは左右に黒帯が付され１６：９の画像データとされるが、この１６：９の画像データを４：３のディスプレイ装置で表示すると画像が正確に表示できない。また、１６：９のディスプレイ装置も、供給された画像データの元のアスペクト比を認識することができないので、左右に黒帯が付された画像データを適切なアスペクト比に変更することができない。
【０００８】
【特許文献１】特開２００７−８６６１４号公報
【発明の開示】
【発明が解決しようとする課題】
【０００９】
本発明は、上記従来の課題を解決するためになされたものであり、その目的は、
画像送受信装置に複数の異なるアスペクト比の画像受信装置が接続される場合であっても、各画像受信装置に適したアスペクト比の画像データを出力できる画像送受信装置を提供することである。
【課題を解決するための手段】
【００１０】
本発明の好ましい実施形態による画像送受信装置は、外部に接続される画像送信装置から画像データを受信する画像受信手段と、前記画像受信手段が受信した画像データのアスペクト比を、後記送信アスペクト比特定手段によって特定されたアスペクト比に変更するアスペクト比変更手段と、外部に接続される画像受信装置に画像データを送信する画像送信手段と、画像データの送信先毎に前記画像受信装置のアスペクト比を管理するアスペクト比管理手段と、ユーザ操作に応じて、画像データの送信先を１又は複数選択する送信先選択手段と、前記画像送信装置から受信した画像データのアスペクト比を判別するアスペクト比判別手段と、前記送信先選択手段によって選択された１又は複数の送信先に対応付けて前記アスペクト比管理手段によって管理されている１又は複数のアスペクト比と、前記アスペクト比判別手段によって判別された画像データのアスペクト比とに基づいて、前記画像送信装置が送信すべき画像データのアスペクト比と、前記アスペクト比変更手段が変更すべきアスペクト比とを特定する送信アスペクト比特定手段と、前記送信アスペクト比特定手段によって特定された前記画像送信装置が送信すべき画像データのアスペクト比に、画像データを変更して出力するように前記画像送信装置に指示する指示手段とを備える。
【００１１】
好ましくは、前記送信先選択手段が出力先として第１アスペクト比の第１画像受信装置と、第２アスペクト比の第２画像受信装置とを選択し、前記アスペクト比判別手段によって画像データのアスペクト比が第２アスペクト比であると判別された場合、前記送信アスペクト比特定手段が、前記画像送信装置が送信すべき画像データのアスペクト比を第２アスペクト比と特定し、前記アスペクト比変更手段が変更すべきアスペクト比を第１アスペクト比と特定し、前記画像受信手段が、第２アスペクト比の画像データを受信し、前記画像送信手段が、前記アスペクト比変更手段によってアスペクト比が変更された第１アスペクト比の画像データを前記第１画像受信装置に送信し、前記アスペクト比変更手段によってアスペクト比が変更されていない第２アスペクト比の画像データを前記第２画像受信装置に送信する。
【００１２】
好ましくは、前記送信先選択手段が出力先として第１アスペクト比の第１画像受信装置と、第２アスペクト比の第２画像受信装置とを選択し、前記アスペクト比判別手段によって画像データのアスペクト比が第１アスペクト比であると判別された場合、前記送信アスペクト比特定手段が、前記画像送信装置が送信すべき画像データのアスペクト比を第２アスペクト比と特定し、前記アスペクト比変更手段が変更すべきアスペクト比を第１アスペクト比と特定し、前記画像受信手段が、第１アスペクト比の画像データの上下に黒帯が付された第２アスペクト比の画像データを受信し、前記画像送信手段が、前記アスペクト比変更手段によってアスペクト比が変更された第１アスペクト比の画像データを前記第１画像受信装置に送信し、前記アスペクト比変更手段によってアスペクト比が変更されていない第２アスペクト比の画像データを前記第２画像受信装置に送信する。
【００１３】
好ましくは、前記送信先選択手段が出力先として第１アスペクト比の第１画像受信装置を選択し、前記アスペクト比判別手段によって画像データのアスペクト比が第１アスペクト比であると判別された場合、前記送信アスペクト比特定手段が、前記画像送信装置が送信すべき画像データのアスペクト比を第１アスペクト比と特定し、前記画像受信手段が、第１アスペクト比の画像データを受信し、前記画像送信手段が、前記アスペクト比変更手段によってアスペクト比が変更されていない第１アスペクト比の画像データを前記第１画像受信装置に送信する。
【００１４】
好ましくは、前記送信先選択手段が出力先として第１アスペクト比の第１画像受信装置を選択し、前記アスペクト比判別手段によって画像データのアスペクト比が第２アスペクト比であると判別された場合、前記送信アスペクト比特定手段が、前記画像送信装置が送信すべき画像データのアスペクト比を第１アスペクト比と特定し、前記画像受信手段が、第２アスペクト比の画像データの左右に黒帯が付された第１アスペクト比の画像データを受信し、前記画像送信手段が、前記アスペクト比変更手段によってアスペクト比が変更されていない第１アスペクト比の画像データを前記第１画像受信装置に送信する。
【００１５】
好ましくは、前記送信先選択手段が出力先として第１アスペクト比の第１画像受信装置を選択し、前記アスペクト比判別手段によって画像データのアスペクト比が第２アスペクト比であると判別された場合、前記送信アスペクト比特定手段が、前記画像送信装置が送信すべき画像データのアスペクト比を第１アスペクト比と特定し、前記画像受信手段が、第２アスペクト比の画像データを左右に引き延ばすように拡大された第１アスペクト比の画像データを受信し、前記画像送信手段が、前記アスペクト比変更手段によって黒帯が付された第１アスペクト比の画像データを前記第１画像受信装置に送信する。
【００１６】
好ましくは、前記送信先選択手段が出力先として第２アスペクト比の第２画像受信装置を選択し、前記アスペクト比判別手段によって画像データのアスペクト比が第２アスペクト比であると判別された場合、前記送信アスペクト比特定手段が、前記画像送信装置が送信すべき画像データのアスペクト比を第２アスペクト比と特定し、前記画像受信手段が、第２アスペクト比の画像データを受信し、前記画像送信手段が、前記アスペクト比変更手段によってアスペクト比が変更されていない第２アスペクト比の画像データを前記第２画像受信装置に送信する。
【００１７】
好ましくは、前記送信先選択手段が出力先として第２アスペクト比の第２画像受信装置を選択し、前記アスペクト比判別手段によって画像データのアスペクト比が第１アスペクト比であると判別された場合、前記送信アスペクト比特定手段が、前記画像送信装置が送信すべき画像データのアスペクト比を第２アスペクト比と特定し、前記画像受信手段が、第１アスペクト比の画像データの上下に黒帯が付された第２アスペクト比の画像データを受信し、前記画像送信手段が、前記アスペクト比変更手段によってアスペクト比が変更されていない第２アスペクト比の画像データを前記第２画像受信装置に送信する。
【発明の効果】
【００１８】
送信先選択手段によって選択された１又は複数の送信先に対応付けてアスペクト比管理手段によって管理されている１又は複数のアスペクト比と、アスペクト比判別手段によって判別された画像データのアスペクト比とに基づいて、画像送信装置が送信すべき画像データのアスペクト比と、アスペクト比変更手段が変更すべきアスペクト比とが特定される。従って、接続される複数の画像受信装置のアスペクト比が異なる場合でも、画像データを一方のアスペクト比に画像送信装置に変換させると共に、他方のアスペクト比に画像送受信装置が変換することによって、画像送受信装置は１つのアスペクト比変更手段を備えるだけで、各画像受信装置にそれぞれ適したアスペクト比の画像データを送信できる。また、ユーザ操作としては、画像を表示する画像受信装置を変更するたびに、画像受信装置や画像送信装置においてアスペクト比を設定し直す必要がない。
【発明を実施するための最良の形態】
【００１９】
以下、本発明の好ましい実施形態によるＤＶＤプレーヤ（画像送信装置、ソース機器）、ＡＶアンプ（画像送受信装置、リピーター機器）及びディスプレイ装置（画像受信装置、シンク機器）を備える画像送受信システムついて、図面を参照して具体的に説明するが、本発明はこれらの実施形態には限定されない。
【００２０】
図１は、ＤＶＤプレーヤ１０、ＡＶアンプ２０及びディスプレイ装置３０（３０Ａ、３０Ｂ）の構成を示すブロック図である。ＤＶＤプレーヤ１０、ＡＶアンプ２０及びディスプレイ装置３０は、例えばＨＤＭＩ規格に準拠しており、ＨＤＭＩケーブルを介して相互に接続されている。
【００２１】
［ＤＶＤプレーヤ１０の構成］
ＤＶＤプレーヤ１０は、再生部１１と、スケーラ１２と、ＨＤＭＩ送信部１３と、システム制御部１４と、操作表示部１５と、メモリ１６と、コネクタ部１７とを有している。
【００２２】
再生部１１は、ＤＶＤディスクが挿入された時、ＤＶＤディスクに記録されている画像データ（映像データの意味を含む）を読み出して、デコードし、スケーラ１２に供給する。また、再生部１１は、ＤＶＤディスクに記録されている音声データを読み出して、デコードし、ＨＤＭＩ送信部１３に供給する。再生部１１は、図示しない光ピックアップ、サーボ回路、ＭＰＥＧデコーダ等を含む。
【００２３】
スケーラ１２は、供給された画像データを、システム制御部１４によって指示されたアスペクト比に変更して、ＨＤＭＩ送信部１３に供給する。詳細は後述するが、当該アスペクト比は、ＡＶアンプ２０のシステム制御部２３からＣＥＣラインを介して指示されたものである。
【００２４】
ＨＤＭＩ送信部１３は、スケーラ１２から供給された画像データ、及び／又は、再生部１１から供給された音声データを、システム制御部１４からの指示により、ＨＤＭＩ規格のデータ（以下、ＨＤＭＩデータ）に変換する。ＨＤＭＩ送信部１３は、ＨＤＭＩデータを、コネクタ部１７を介してＡＶアンプ２０に送信する。
【００２５】
ＨＤＭＩ送信部１３は、ＨＤＭＩデータを送受信するＴＭＤＳライン（通常は複数存在するが図１では簡単のため１本のラインのみを記載している）、及び、ホットプラグラインを介して、ＡＶアンプ２０のＨＤＭＩ受信部２１に接続される。また、ＨＤＭＩ送信部１３は、ＥＤＩＤを読み出すためのＤＤＣラインを介してＡＶアンプ２０のＨＤＭＩ受信部２１、ＰＲＯＭ２５に接続されている。
【００２６】
システム制御部１４は、内蔵又は接続されたメモリに格納されているＤＶＤプレーヤの動作プログラムに基づいて、再生部１１、スケーラ１２、ＨＤＭＩ送信部１３、操作表示部１５、メモリ１６等を制御するものであり、例えば、マイクロコンピュータやＣＰＵ等である。システム制御部１４は、操作表示部１５からの操作入力または各部からの制御信号およびデータに基づいて各種処理を実行する。
【００２７】
システム制御部１４は、ＣＥＣラインを介してＡＶアンプ２０のシステム制御部２３に接続され、システム制御部２３とコマンド及び／又はデータを送受信する。システム制御部１４は、ＡＶアンプ２０のシステム制御部２３から、ＨＤＭＩ送信部１３が出力すべき画像データのアスペクト比の情報を、ＣＥＣラインを介して受信すると、当該アスペクト比に画像データを変更するようにスケーラ１２を制御する。すなわち、システム制御部１４は、システム制御部２３から画像データを指示されたアスペクト比に変更して出力するように指示された場合、指示されたアスペクト比に変更して画像データを出力するように各部を制御する。
【００２８】
また、システム制御部１４は、ＤＤＣラインを介して、ＡＶアンプ２０のＰＲＯＭ２５に接続され、ＰＲＯＭ２５に記憶されたＥＤＩＤを読み出す。
【００２９】
［ＡＶアンプの構成］
ＡＶアンプ２０は、ＨＤＭＩ受信部２１と、ＨＤＭＩ送信部２２と、システム制御部２３と、スケーラ２４と、メモリ（ＥＤＩＤ  ＰＲＯＭ、以下、ＰＲＯＭとする）２５と、音声処理部２６と、コネクタ部２７、２８（２８Ａ，２８Ｂ）と、操作表示部２９とを有している。
【００３０】
ＨＤＭＩ受信部２１は、ＤＶＤプレーヤ１０から送信されたＨＤＭＩデータを受信して、受信したＨＤＭＩデータから元の画像データ（ＨＤＭＩ変換前の画像データ）を生成して、スケーラ２４、及び／又は、ＨＤＭＩ送信部２２に供給する。また、ＨＤＭＩ受信部２１は、受信したＨＤＭＩデータから元の音声データを生成して、音声処理部２６に供給する。
【００３１】
ＨＤＭＩ受信部２１は、ＨＤＭＩデータから画像データのアスペクト比に関する情報を読み出してシステム制御部２３に供給する。アスペクト比に関する情報は、代表的には、ＨＤＭＩデータのAVI Infoに記述されている。なお、コンポーネント信号、Ｓビデオ信号、コンポジット信号等のアナログ信号の場合にはＶＢＩＤのＷＳＳ，Ｓ１，Ｓ２等の信号を参照することによってアスペクト比の情報を取得することができる。
【００３２】
スケーラ２４は、ＨＤＭＩ受信部２１から供給された画像データを、システム制御部２３によって指示されたアスペクト比に変更して、ＨＤＭＩ送信部２２に供給する。
【００３３】
ＨＤＭＩ送信部２２は、スケーラ２４又はＨＤＭＩ受信部２１から供給された画像データ、及び、必要に応じて音声処理部２６から供給された音声データを、ＨＤＭＩデータに変換する。ＨＤＭＩ送信部２２は、コネクタ部２８Ａを介してディスプレイ装置３０ＡにＨＤＭＩデータを送信する。同様に、ＨＤＭＩ送信部２２は、コネクタ部２８Ｂを介してディスプレイ装置３０ＢにＨＤＭＩデータを送信する。例えば、ＨＤＭＩ送信部２２は、スケーラ２４によってアスペクト比が変更された画像データを、コネクタ部２８Ａを介してディスプレイ装置３０Ａに出力すると共に、ＨＤＭＩ受信部２１からスケーラ２４を介さずに直接供給された画像データを、コネクタ部２８Ｂを介してディスプレイ装置３０Ｂに出力する。
【００３４】
ＨＤＭＩ送信部２２は、ＴＭＤＳラインおよびホットプラグラインを介して、ディスプレイ装置３０のＨＤＭＩ受信部３１に接続されている。また、ＨＤＭＩ送信部２２は、ＤＤＣラインを介してディスプレイ装置３０のＰＲＯＭ３４及びＨＤＭＩ受信部３１に接続されている。
【００３５】
音声処理部２６は、ＨＤＭＩ受信部２１から供給された音声データに対して、信号処理、増幅処理、Ｄ／Ａ変換等の処理を実行し、外部に接続されたスピーカー６０に音声信号を供給する。また、必要に応じて、音声処理部２６は、音声データをＨＤＭＩ送信部２２に供給する。
【００３６】
システム制御部２３は、内蔵又は接続されたメモリに記憶されているＡＶアンプの動作プログラムに基づいて、ＨＤＭＩ受信部２１、ＨＤＭＩ送信部２２、スケーラ２４、ＰＲＯＭ２５、音声処理部２６、操作表示部２９等を制御するものであり、例えば、マイクロコンピュータやＣＰＵ等である。システム制御部２３は、操作表示部２４からの操作入力または各部からの制御信号およびデータに基づいて各種処理を実行する。
【００３７】
システム制御部２３は、ＣＥＣラインを介してＤＶＤプレーヤ１０のシステム制御部１４に接続され、システム制御部１４とコマンドおよびデータを送受信する。また、システム制御部２３は、ＣＥＣラインを介してディスプレイ装置３０のシステム制御部３３に接続され、システム制御部３３とコマンドおよびデータを送受信する。
【００３８】
図示しないメモリには図２に示すアスペクト比テーブルが格納されている。アスペクト比テーブルは、画像データを出力する各出力端子（例えば、コネクタ２８Ａ（ＭＡＩＮ），コネクタ２８Ｂ（ＺＯＮＥ２）等）に接続されているディスプレイ装置３０のアスペクト比を記憶、管理するものである。アスペクト比テーブルには、ユーザ操作によって入力されたアスペクト比をシステム制御部２３が登録してもよく、又は、システム制御部２３がディスプレイ装置３０のＰＲＯＭ３４からＥＤＩＤを読み出して、ＥＤＩＤに含まれているアスペクト比の情報を登録してもよい。図２では、出力１（コネクタ部２８Ａに対応）に接続されたディスプレイ装置３０Ａのアスペクト比は１６：９であり、出力２（コネクタ部２８Ｂに対応）に接続されたディスプレイ装置３０Ｂのアスペクト比は４：３であることを示している。
【００３９】
システム制御部２３は、ユーザ操作に応じて、ＤＶＤプレーヤ１０から供給された画像データの出力先のディスプレイ装置（つまり、コネクタ部２８Ａ、２８Ｂ）を１又は複数選択する。例えば、画像データの出力先の選択としては、以下のケースが存在する。（１）ＤＶＤプレーヤ１０からの画像データを、コネクタ部２８Ａを介してディスプレイ装置３０Ａに出力し、かつ、コネクタ部２８Ｂを介してディスプレイ装置３０Ｂにも出力する（同時出力）。（２）ＤＶＤプレーヤ１０からの画像データを、コネクタ部２８Ａを介してディスプレイ装置３０Ａに出力し、コネクタ部２８Ｂを介してディスプレイ装置３０Ｂに出力しない。（３）ＤＶＤプレーヤ１０からの画像データを、コネクタ部２８Ａを介してディスプレイ装置３０Ａに出力せず、コネクタ部２８Ｂを介してディスプレイ装置３０Ｂに出力する。
【００４０】
システム制御部２３は、ＨＤＭＩ受信部２１から供給された画像データのアスペクト比の情報と、選択されている１又は複数の画像データ出力先のディスプレイ装置のアスペクト比の情報とに基づいて、ＤＶＤプレーヤ１０が出力する画像データの（すなわちスケーラ１２が画像データを変更する）アスペクト比と、ＡＶアンプ２０のスケーラ２４が画像データを変更するアスペクト比とを特定する（詳細は動作の説明を参照）。
【００４１】
システム制御部２３は、特定したアスペクト比に変更した画像データを出力するようにＤＶＤプレーヤ１０のシステム制御部１４にＣＥＣラインを介して指示する。また、システム制御部２３は、特定したアスペクト比に画像データを変更するようにスケーラ２４に指示する。これにより、ＤＶＤプレーヤ１０のスケーラ１２と、ＡＶアンプ２４のスケーラ２４とによって、ディスプレイ装置３０Ａのアスペクト比に対応する画像データと、ディスプレイ装置３０Ｂのアスペクト比に対応する画像データとの両方を生成することができる。その結果、ＡＶアンプ２０が２つのスケーラ２４を設ける必要がなく、コストの増加を防止することができる。
【００４２】
［ディスプレイ装置３０の構成］
ディスプレイ装置３０は、ＨＤＭＩ受信部３１と、表示部３２と、システム制御部３３と、メモリ（ＥＤＩＤ  ＰＲＯＭ、以下、ＰＲＯＭとする）３４と、操作部３５と、音声処理部３６と、スピーカー３７と、コネクタ部３８とを有する。
【００４３】
ＨＤＭＩ受信部３１は、ＡＶアンプ２０のＨＤＭＩ送信部２２から送信されたＨＤＭＩデータを受信して、ＨＤＭＩデータから元の画像データを生成し、表示部３２に供給する。また、ＨＤＭＩ受信部３１は、ＨＤＭＩデータから元の音声データを生成して、音声処理部３６に供給する。
【００４４】
表示部３２は、ＨＤＭＩ受信部３１から画像データが供給され、当該画像データに基づいて画像を表示するものであり、例えば、ＬＣＤまたはＣＲＴ等である。
【００４５】
音声処理部３６は、ＨＤＭＩ受信部３１から供給された音声データを、信号処理、増幅処理、Ｄ／Ａ変換等の処理を実行し、スピーカー３７に供給する。
【００４６】
システム制御部３３は、内蔵又は接続されたメモリに格納されたディスプレイ装置の動作プログラムに基づいて、ＨＤＭＩ受信部３１、表示部３２、ＰＲＯＭ３４、音声処理部３６等を制御するものであり、例えば、マイクロコンピュータやＣＰＵ等である。システム制御部３３は、操作部３５からの操作入力または各部からの制御信号およびデータに基づいて各種処理を実行する。
【００４７】
ディスプレイ装置３０Ａ、３０Ｂにはそれぞれ異なるアスペクト比のものを採用することができ、例えば、ディスプレイ装置３０Ａのアスペクト比は１６：９、ディスプレイ装置３０Ｂのアスペクト比は４：３である。アスペクト比の情報はＰＲＯＭ３４内に予め記憶されたＥＤＩＤに記述されており、ＡＶアンプ２０のシステム制御部２３によって読み出される。
【００４８】
［動作］
図３はＡＶアンプ２０の処理を説明するフローチャートである。システム制御部２３は、ユーザ操作によって画像データの出力先が選択されたか否かを監視している（Ｓ１）。画像データの出力先が選択された場合（Ｓ１でＹＥＳ）、システム制御部２３は、出力先のディスプレイ装置にアスペクト比が４：３のものがあるか否かを判断する（Ｓ２）。詳細には、図２のアスペクト比テーブルを参照して、選択された１又は複数の出力に対応付けてアスペクト比テーブルに登録されているアスペクト比を読み出して、アスペクト比４：３が含まれているか否かを判断する。
【００４９】
［ケース１］
図４に示すように、画像データの出力先として出力１（ディスプレイ装置３０Ａ）及び出力２（ディスプレイ装置３０Ｂ）が選択される（Ｓ１）。アスペクト比テーブルを参照すると、選択された出力２にアスペクト比４：３が登録されている（すなわち、ディスプレイ装置３０Ｂが４：３である）と判断される（Ｓ２でＹＥＳ）。
【００５０】
続いて、ＨＤＭＩ受信部２１は受信したＨＤＭＩデータから画像データのアスペクト比の情報を読み出して、システム制御部２３に供給する。システム制御部２３は、供給されたアスペクト比の情報が４：３であるか否かを判断する（Ｓ３）。ここでは、画像データのアスペクト比が４：３であると判断される（Ｓ３でＹＥＳ、図４（１））。その結果、システム制御部２３は、アスペクト比４：３の画像データを出力するようにＤＶＤプレーヤ１０のシステム制御部１４にＣＥＣラインを介して指示する（Ｓ４、図４（２））。
【００５１】
ＤＶＤプレーヤ１０のシステム制御部１４は、ＡＶアンプ２０のシステム制御部２３からアスペクト比４：３の画像データを出力する指示を受信すると、スケーラ１２にアスペクト比４：３の画像データを出力するように指示する。その結果、ＤＶＤプレーヤ１０はアスペクト比４：３の画像データをＡＶアンプ２０に出力する（元の画像データが４：３であるので、スケーラ１２はアスペクト比を変更せずに出力する）（図４（３））。
【００５２】
システム制御部２３は、アスペクト比テーブルを参照して、アスペクト比４：３のディスプレイ装置３０Ｂにアスペクト比４：３の画像データを出力するように各部を制御する（Ｓ５、図４（４））。詳細には、ＨＤＭＩ受信部２１は、受信した４：３の画像データを、スケーラ２４を介さずに（アスペクト比を変更せずに）ＨＤＭＩ送信部２２に供給し、ＨＤＭＩ送信部２２は、４：３の画像データをディスプレイ装置３０Ｂに出力する。従って、アスペクト比４：３のディスプレイ装置３０Ｂは、アスペクト比４：３の画像データを受信すると、アスペクト比を変更せずに表示部３２に表示することができる。
【００５３】
続いて、システム制御部２３は、出力先のディスプレイ装置にアスペクト比が１６：９のものがあるか否かを判断する（Ｓ６）。詳細には、図２のアスペクト比テーブルを参照して、選択された出力に対応付けて登録されているアスペクト比を読み出して、１６：９が含まれているか否かを判断する。ここでは、選択されたディスプレイ装置１のアスペクト比が１６：９である（Ｓ６でＹＥＳ）。従って、システム制御部２３は、アスペクト比テーブルを参照して、アスペクト比１６：９のディスプレイ装置３０Ａにアスペクト比１６：９の画像データを出力するように各部を制御する（Ｓ７、図４（５））。詳細には、ＨＤＭＩ受信部２１は、受信した４：３の画像データを、スケーラ２４に供給する。スケーラ２４は、供給された４：３の画像データの左右に黒帯を付してアスペクト比１６：９の画像データに変更し、又は、４：３の画像データを左右方向に引き延ばすように拡大してアスペクト比１６：９の画像データに変更し、ＨＤＭＩ送信部２２に供給する。ＨＤＭＩ送信部２２は、１６：９の画像データをディスプレイ装置３０Ａに出力する。従って、アスペクト比１６：９のディスプレイ装置３０Ａは、アスペクト比１６：９の画像データを受信すると、アスペクト比を変更せずに表示部３２に表示することができる。
【００５４】
［ケース２］
図５に示すように、画像データの出力先として出力１（ディスプレイ装置３０Ａ）及び出力２（ディスプレイ装置３０Ｂ）が選択される（Ｓ１）。アスペクト比テーブルを参照すると、選択された出力２にアスペクト比４：３が登録されている（すなわち、ディスプレイ装置３０Ｂが４：３である）と判断される（Ｓ２でＹＥＳ）。
【００５５】
ここでは、システム制御部２３は、画像データのアスペクト比が１６：９であると判断する（Ｓ３でＮＯ、図５（１））。システム制御部２３は、アスペクト比４：３ＬＢ（ＬＢはレターボックスの略、以下同様。）の画像データを出力するようにＤＶＤプレーヤ１０のシステム制御部１４にＣＥＣラインを介して指示する（Ｓ８、図５（２））。ここで、アスペクト比４：３ＬＢは、１６：９の画像データの上下に黒帯を付しアスペクト比が４：３とされたものと定義する。
【００５６】
ＤＶＤプレーヤ１０のシステム制御部１４は、ＡＶアンプ２０のシステム制御部２３からアスペクト比４：３ＬＢの画像データを出力する指示を受信すると、スケーラ１２にアスペクト比４：３ＬＢの画像データを出力するように指示する。その結果、ＤＶＤプレーヤ１０はアスペクト比４：３ＬＢの画像データをＡＶアンプ２０に出力する（元の画像データが１６：９であるので、スケーラ１４によって上下に黒帯を付してアスペクト比を４：３ＬＢに変更して出力する）（図５（３））。
【００５７】
システム制御部２３は、アスペクト比テーブルを参照して、アスペクト比４：３のディスプレイ装置３０Ｂにアスペクト比４：３ＬＢの画像データを出力するように各部を制御する（Ｓ９、図５（４））。詳細には、ＨＤＭＩ受信部２１は、受信した４：３ＬＢの画像データを、スケーラ２４を介さずに（アスペクト比を変更せずに）ＨＤＭＩ送信部２２に供給し、ＨＤＭＩ送信部２２は、４：３ＬＢの画像データをディスプレイ装置３０Ｂに出力する。従って、アスペクト比４：３のディスプレイ装置３０Ｂは、アスペクト比４：３ＬＢの画像データを、アスペクト比を変更せずに表示部３２に表示することができる。
【００５８】
続いて、システム制御部２３は、出力先のディスプレイ装置にアスペクト比が１６：９のものがあるか否かを判断する（Ｓ１０）。詳細には、図２のアスペクト比テーブルを参照して、選択された出力に対応付けて登録されているアスペクト比を読み出して、１６：９が含まれているか否かを判断する。ここでは、選択されたディスプレイ装置１のアスペクト比が１６：９である（Ｓ１０でＹＥＳ）。従って、システム制御部２３は、アスペクト比テーブルを参照して、アスペクト比１６：９のディスプレイ装置３０Ａにアスペクト比１６：９の画像データを出力するように各部を制御する（Ｓ１１、図５（５））。詳細には、ＨＤＭＩ受信部２１は、受信した４：３ＬＢの画像データを、スケーラ２４に供給する。スケーラ２４は、供給された４：３ＬＢの画像データを拡大して、上下の黒帯を除去して、アスペクト比１６：９の画像データに変更し、ＨＤＭＩ送信部２２に供給する。ＨＤＭＩ送信部２２は、１６：９の画像データをディスプレイ装置３０Ａに出力する。従って、アスペクト比１６：９のディスプレイ装置３０Ａは、アスペクト比１６：９の画像データを受信すると、アスペクト比を変更せずに表示部３２に表示することができる。
【００５９】
［ケース３］
図６に示すように、画像データの出力先として出力１（ディスプレイ装置３０Ａ）のみが選択される（Ｓ１）。アスペクト比テーブルを参照すると、選択された出力先は出力１（１６：９）のみであるので、アスペクト比４：３が登録されていないと判断される（Ｓ２でＮＯ）。
【００６０】
続いて、ＨＤＭＩ受信部２１は受信したＨＤＭＩデータから画像データのアスペクト比の情報を読み出して、システム制御部２３に供給する。システム制御部２３は、供給されたアスペクト比の情報が４：３であるか否かを判断する（Ｓ１２）。ここでは、システム制御部２３は、画像データのアスペクト比が１６：９であると判断する（Ｓ１２でＮＯ、図６（１））。システム制御部２３は、アスペクト比１６：９の画像データを出力するようにＤＶＤプレーヤ１０のシステム制御部１４にＣＥＣラインを介して指示する（Ｓ１５、図６（２））。
【００６１】
ＤＶＤプレーヤ１０のシステム制御部１４は、ＡＶアンプ２０のシステム制御部２３からアスペクト比１６：９の画像データを出力する指示を受信すると、スケーラ１２にアスペクト比１６：９の画像データを出力するように指示する。その結果、ＤＶＤプレーヤ１０はアスペクト比１６：９の画像データをＡＶアンプに出力する（元の画像データが１６：９であるので、アスペクト比を変更せずに出力する）（図６（３））。
【００６２】
システム制御部２３は、出力先として選択されているアスペクト比１６：９のディスプレイ装置３０Ａにアスペクト比１６：９の画像データを出力するように各部を制御する（Ｓ１４、図６（４））。詳細には、ＨＤＭＩ受信部２１は、受信した１６：９の画像データを、スケーラ２４を介さずに（アスペクト比を変更せずに）ＨＤＭＩ送信部２２に供給し、ＨＤＭＩ送信部２２は、１６：９の画像データをディスプレイ装置３０Ａに出力する。従って、アスペクト比１６：９のディスプレイ装置３０Ａは、アスペクト比１６：９の画像データを受信すると、アスペクト比を変更せずに表示部３２に表示することができる。
【００６３】
［ケース４］
図７に示すように、画像データの出力先として出力１（ディスプレイ装置３０Ａ）のみが選択される（Ｓ１）。アスペクト比テーブルを参照すると、選択された出力先は出力１（１６：９）のみであるので、アスペクト比４：３が登録されていないと判断される（Ｓ２でＮＯ）。
【００６４】
ここでは、システム制御部２３は、画像データのアスペクト比が４：３であると判断する（Ｓ１２でＹＥＳ、図７（１））。システム制御部２３は、アスペクト比１６：９の（詳細には、４：３の画像データの左右に黒帯を付して１６：９に変更した）画像データを出力するようにＤＶＤプレーヤ１０のシステム制御部１４にＣＥＣラインを介して指示する（Ｓ１３、図７（２））。
【００６５】
ＤＶＤプレーヤ１０のシステム制御部１４は、ＡＶアンプ２０のシステム制御部２３からアスペクト比１６：９の画像データを出力する指示を受信すると、スケーラ１２にアスペクト比１６：９の画像データを出力するように指示する。その結果、ＤＶＤプレーヤ１０はアスペクト比１６：９の画像データをＡＶアンプに出力する（元の画像データが４：３であるので、スケーラ１２は、左右に黒帯を付してアスペクト比を１６：９に変更して出力する）（図７（３））。
【００６６】
システム制御部２３は、出力先として選択されているアスペクト比１６：９のディスプレイ装置３０Ａにアスペクト比１６：９の画像データを出力するように各部を制御する（Ｓ１４、図７（４））。詳細には、ＨＤＭＩ受信部２１は、受信した１６：９の画像データを、スケーラ２４を介さずに（アスペクト比を変更せずに）ＨＤＭＩ送信部２２に供給し、ＨＤＭＩ送信部２２は、１６：９の画像データをディスプレイ装置３０Ａに出力する。従って、アスペクト比１６：９のディスプレイ装置３０Ａは、アスペクト比１６：９の画像データを受信すると、アスペクト比を変更せずに表示部３２に表示することができる。
【００６７】
［ケース５］
図８に示すように、画像データの出力先として出力１（ディスプレイ装置３０Ａ）のみが選択される（Ｓ１）。アスペクト比テーブルを参照すると、選択された出力先は出力１（１６：９）のみであるので、アスペクト比４：３が登録されていないと判断される（Ｓ２でＮＯ）。
【００６８】
ここでは、システム制御部２３は、画像データのアスペクト比が４：３であると判断する（Ｓ１２でＹＥＳ、図８（１））。システム制御部２３は、アスペクト比１６：９の（詳細には、４：３の画像データ左右に引き延ばすように拡大してアスペクト比１６：９に変更した）画像データを出力するようにＤＶＤプレーヤ１０のシステム制御部１４にＣＥＣラインを介して指示する（Ｓ１３、図８（２））。
【００６９】
ＤＶＤプレーヤ１０のシステム制御部１４は、ＡＶアンプ２０のシステム制御部２３からアスペクト比１６：９の画像データを出力する指示を受信すると、スケーラ１２にアスペクト比１６：９の画像データを出力するように指示する。その結果、ＤＶＤプレーヤ１０はアスペクト比１６：９の画像データをＡＶアンプに出力する（元の画像データが４：３であるので、スケーラ１２が画像データを左右に引き延ばすように拡大してアスペクト比１６：９に変更して出力する）（図８（３））。
【００７０】
システム制御部２３は、出力先として選択されているアスペクト比１６：９のディスプレイ装置３０Ａにアスペクト比１６：９の画像データを出力するように各部を制御する（Ｓ１４、図８（４））。詳細には、ＨＤＭＩ受信部２１は、受信した１６：９の画像データを、スケーラ２４に供給する。スケーラ２４は、供給された画像データを４：３に戻すと共に左右に黒帯を付して、アスペクト比１６：９の画像データを生成し直し、ＨＤＭＩ送信部２２に供給する。ＨＤＭＩ送信部２２は、１６：９の画像データをディスプレイ装置３０Ａに出力する（図８（４））。従って、アスペクト比１６：９のディスプレイ装置３０Ａは、アスペクト比１６：９の画像データを受信すると、アスペクト比を変更せずに表示部３２に表示することができる。
【００７１】
［ケース６］
図９に示すように、画像データの出力先として出力２（ディスプレイ装置３０Ｂ）のみが選択される（Ｓ１）。アスペクト比テーブルを参照すると、選択された出力先は出力２（４：３）であるので、アスペクト比４：３が登録されていると判断される（Ｓ２でＹＥＳ）。
【００７２】
ここでは、システム制御部２３は、画像データのアスペクト比が４：３であると判断する（Ｓ３でＹＥＳ、図９（１））。システム制御部２３は、アスペクト比４：３の画像データを出力するようにＤＶＤプレーヤ１０のシステム制御部１４にＣＥＣラインを介して指示する（Ｓ４、図９（２））。
【００７３】
ＤＶＤプレーヤ１０のシステム制御部１４は、ＡＶアンプ２０のシステム制御部２３からアスペクト比４：３の画像データを出力する指示を受信すると、スケーラ１２にアスペクト比４：３の画像データを出力するように指示する。その結果、ＤＶＤプレーヤ１０はアスペクト比４：３の画像データをＡＶアンプに出力する（元々画像データが４：３であるので、アスペクト比を変更せずに出力する）（図９（３））。
【００７４】
システム制御部２３は、出力先として選択されているアスペクト比４：３のディスプレイ装置３０Ｂにアスペクト比４：３の画像データを出力するように各部を制御する（Ｓ５、図９（４））。詳細には、ＨＤＭＩ受信部２１は、受信した４：３の画像データを、スケーラ２４を介さずに（アスペクト比を変更せずに）ＨＤＭＩ送信部２２に供給し、ＨＤＭＩ送信部２２は、４：３の画像データをディスプレイ装置３０Ｂに出力する（図９（４））。従って、アスペクト比４：３のディスプレイ装置３０Ｂは、アスペクト比４：３の画像データを受信すると、アスペクト比を変更せずに表示部３２に表示することができる。
【００７５】
なお、アスペクト比テーブルを参照すると、選択された出力先は出力２（４：３）のみであるので、アスペクト比１６：９が登録されていないと判断し（Ｓ６でＮＯ）、処理を終了する。
【００７６】
［ケース７］
図１０に示すように、画像データの出力先として出力２（ディスプレイ装置３０Ｂ）のみが選択される（Ｓ１）。アスペクト比テーブルを参照すると、選択された出力先は出力２（４：３）であるので、アスペクト比４：３が登録されていると判断される（Ｓ２でＹＥＳ）。
【００７７】
ここでは、システム制御部２３は、画像データのアスペクト比が１６：９であると判断する（Ｓ３でＮＯ、図１０（１））。システム制御部２３は、アスペクト比４：３ＬＢの画像データを出力するようにＤＶＤプレーヤ１０のシステム制御部１４にＣＥＣラインを介して指示する（Ｓ８、図１０（２））。
【００７８】
ＤＶＤプレーヤ１０のシステム制御部１４は、ＡＶアンプ２０のシステム制御部２３からアスペクト比４：３ＬＢの画像データを出力する指示を受信すると、スケーラ１２にアスペクト比４：３ＬＢの画像データを出力するように指示する。その結果、ＤＶＤプレーヤ１０はアスペクト比４：３ＬＢの画像データをＡＶアンプに出力する（元の画像データが１６：９であるので、スケーラ１２は、１６：９の画像データの上下に黒帯を付して、アスペクト比を４：３ＬＢに変更して出力する）（図１０（３））。
【００７９】
システム制御部２３は、出力先として選択されているアスペクト比４：３のディスプレイ装置３０Ｂにアスペクト比４：３ＬＢの画像データを出力するように各部を制御する（Ｓ９、図１０（４））。詳細には、ＨＤＭＩ受信部２１は、受信した４：３ＬＢの画像データを、スケーラ２４を介さずに（アスペクト比を変更せずに）ＨＤＭＩ送信部２２に供給し、ＨＤＭＩ送信部２２は、４：３ＬＢの画像データをディスプレイ装置３０Ｂに出力する（図１０（４））。従って、アスペクト比４：３のディスプレイ装置３０Ｂは、アスペクト比４：３ＬＢの画像データを受信すると、アスペクト比を変更せずに表示部３２に表示することができる。
【００８０】
なお、アスペクト比テーブルを参照すると、選択された出力先は出力２（４：３）のみであるので、アスペクト比１６：９が登録されていないと判断し（Ｓ１１でＮＯ）、処理を終了する。
【００８１】
以上のように、本実施形態によると、出力先であるディスプレイ装置が１又は複数選択された際に、ＤＶＤプレーヤ１０のスケーラ１２とＡＶアンプ２０のスケーラ２４とを制御することによって、各ディスプレイ装置に対して、適したアスペクト比の画像データを出力することができる。従って、ユーザ操作によって、ＤＶＤプレーヤ１０やディスプレイ装置３０のアスペクト比の設定を変更する必要がない。
【００８２】
以上、本発明の好ましい実施形態を説明したが、本発明はこれらの実施形態には限定されない。ＡＶアンプ２０に接続されるディスプレイ装置（すなわち、コネクタ２８）の数は２つに限定されず、３つ以上であってもよい。また、画像データはＨＤＭＩデータで送信されなくてもよく、コンポーネント、コンポジット、Ｓビデオ等のアナログ信号として送信されてもよい。この場合、別途、専用の制御信号ラインを介してＡＶアンプ２０とＤＶＤプレーヤ１０とが接続され、アスペクト比を変更する指示が送信される。また、ＤＶＤプレーヤ、ＡＶアンプ、ディスプレイ装置の上記動作をコンピュータに実行させるためのプログラムおよびこれを記録した記録媒体という形態で提供されてもよい。また、ＤＶＤプレーヤ、ＡＶアンプ、ディスプレイ装置の上記動作の一部のみのプログラムを、ＤＶＤプレーヤやディスプレイ装置にファームウェアアップデートという形態で提供されてもよい。さらには、ＤＶＤプレーヤ、ＡＶアンプ、ディスプレイ装置の上記動作の一部のみのプログラムが格納されたＨＤＭＩ送信部、ＨＤＭＩ受信部、システム制御部などの電子部品という形態で提供されてもよい。
【産業上の利用可能性】
【００８３】
本発明は、ＡＶアンプ等に好適に採用され得る。
【図面の簡単な説明】
【００８４】
【図１】本発明の好ましい実施形態によるＤＶＤプレーヤ１０、ＡＶアンプ２０及びディスプレイ装置３０の構成を示すブロック図である。
【図２】アスペクト比テーブルを示す図である。
【図３】ＡＶアンプ２０の処理を示すフローチャートである。
【図４】ＤＶＤプレーヤ１０、ＡＶアンプ２０及びディスプレイ装置３０の処理を示す概念図である。
【図５】ＤＶＤプレーヤ１０、ＡＶアンプ２０及びディスプレイ装置３０の処理を示す概念図である。
【図６】ＤＶＤプレーヤ１０、ＡＶアンプ２０及びディスプレイ装置３０の処理を示す概念図である。
【図７】ＤＶＤプレーヤ１０、ＡＶアンプ２０及びディスプレイ装置３０の処理を示す概念図である。
【図８】ＤＶＤプレーヤ１０、ＡＶアンプ２０及びディスプレイ装置３０の処理を示す概念図である。
【図９】ＤＶＤプレーヤ１０、ＡＶアンプ２０及びディスプレイ装置３０の処理を示す概念図である。
【図１０】ＤＶＤプレーヤ１０、ＡＶアンプ２０及びディスプレイ装置３０の処理を示す概念図である。
【符号の説明】
【００８５】
１０            ＤＶＤプレーヤ
１１            再生部
１２            スケーラ
１３            ＨＤＭＩ送信部
１４            システム制御部
２０            ＡＶアンプ
２１            ＨＤＭＩ受信部
２２            ＨＤＭＩ送信部
２３            システム制御部
２４            スケーラ
３０            ディスプレイ装置
３１            ＨＤＭＩ受信部
３３            システム制御部
【図１】
2010041647.tif 000003
【図２】
2010041647.tif 000004
【図３】
2010041647.tif 000005
【図４】
2010041647.tif 000006
【図５】
2010041647.tif 000007
【図６】
2010041647.tif 000008
【図７】
2010041647.tif 000009
【図８】
2010041647.tif 000010
【図９】
2010041647.tif 000011
【図１０】
2010041647.tif 000012